(57)【要約】【課題】コンピュータネットワークを介して接続されたコミュニケーションシステムにおいて、利用者のセキュリティ権限を確保しながらコミュニケーションを円滑かつ効率的に行うことができる電子黒板装置及び電子黒板制御装置を提供する。【解決手段】電子黒板装置１は、電子黒板制御装置３と、タッチパネル付き表示装置４と、電子ペン５とを備えており、電子ペン５による入力情報及び他の電子黒板装置１から受け取る情報を電子黒板制御装置３がタッチパネル付き表示装置４へ表示制御するもので、利用者権限に応じたセキュリティが確保される黒板装置である。【選択図】      図１
2004188736.tif 000002
【特許請求の範囲】
【請求項１】
コンテンツ情報を表示する表示装置と、前記表示装置に表示させる入力情報を受け付ける入力装置と、前記入力情報の前記表示装置への表示制御を行う電子黒板制御装置と、を有する電子黒板装置をコンピュータネットワークを介して複数接続することにより、前記入力情報を相互に通信可能とするコミュニケーションシステムにおける前記電子黒板装置であって、
前記電子黒板制御装置は、
前記コミュニケーションシステムに共通に用いられる前記コンテンツ情報を記憶している共通情報記憶手段と、
複数の前記電子黒板装置それぞれに関して、情報表示の可否レベルを示すセキュリティレベル情報を、前記電子黒板装置を一意に定める識別情報と関連付けて記憶しているセキュリティレベル情報記憶手段と、
自己及び他の前記入力装置からの前記入力情報を前記識別情報と対応付けて受け付ける情報受信手段と、
前記共通に用いられる前記コンテンツ情報を前記表示手段に表示させるとともに、前記情報受信手段で受け付けた前記識別情報に関連付いている前記セキュリティレベル情報と自己の前記セキュリティレベル情報との比較に基づいて、前記入力情報の前記表示手段への表示制御を行う表示制御手段と、
を有することを特徴とする電子黒板装置。
【請求項２】
前記情報受信手段は、前記入力情報を複数の前記電子黒板装置ごとにそれぞれ異なるレイヤー情報として記憶し、前記表示制御手段は、前記レイヤー情報及び前記共通に用いられる前記コンテンツ情報を重ね合わせて前記表示手段に表示させることを特徴とする請求項１記載の電子黒板装置。
【請求項３】
前記表示制御手段は、自己の前記電子黒板装置に関する前記セキュリティレベル情報のレベルが他の前記電子黒板装置に関する前記セキュリティレベル情報のレベルと同等もしくは高い場合には、前記入力情報を表示させることを特徴とする請求項１又は２記載の電子黒板装置。
【請求項４】
前記入力装置は、前記表示装置の前面にタッチパネル面を配置したタッチパネル入力手段を有することを特徴とする請求項１乃至３記載のいずれか１項に記載の電子黒板装置。
【請求項５】
前記タッチパネル入力手段は、自己の前記電子黒板装置と無線により通信可能であり、前記レイヤー及び表示色を選択可能な電子ペンの接触により入力情報を受け付けることを特徴とする請求項４記載の電子黒板装置。
【請求項６】
コンテンツ情報を表示する表示装置と、前記表示装置に表示させる入力情報を受け付ける入力装置と、前記入力情報の前記表示装置への表示制御を行う電子黒板制御装置と、を有する電子黒板装置をコンピュータネットワークを介して複数接続することにより、前記入力情報を相互に通信可能とするコミュニケーションシステムにおける前記電子黒板制御装置であって、
前記コミュニケーションシステムに共通に用いられる前記コンテンツ情報を記憶している共通情報記憶手段と、
複数の前記電子黒板装置それぞれに関して、情報表示の可否レベルを示すセキュリティレベル情報を、前記電子黒板装置を一意に定める識別情報と関連付けて記憶しているセキュリティレベル情報記憶手段と、
自己及び他の前記入力装置からの前記入力情報を前記識別情報と対応付けて受け付ける情報受信手段と、
前記共通に用いられる前記コンテンツ情報を前記表示手段に表示させるとともに、前記情報受信手段で受け付けた前記識別情報に関連付いている前記セキュリティレベル情報と自己の前記セキュリティレベル情報との比較に基づいて、前記入力情報の前記表示手段への表示制御を行う表示制御手段と、
を有することを特徴とする電子黒板制御装置。
【請求項７】
前記情報受信手段は、前記入力情報を複数の前記電子黒板装置ごとにそれぞれ異なるレイヤー情報として記憶し、前記表示制御手段は、前記レイヤー情報及び前記共通の前記コンテンツ情報を重ね合わせて前記表示手段に表示させることを特徴とする請求項６記載の電子黒板制御装置。
【請求項８】
前記表示制御手段は、自己の前記電子黒板装置に関する前記セキュリティレベル情報のレベルが他の前記電子黒板装置に関する前記セキュリティレベル情報のレベルと同等もしくは高い場合には、前記入力情報を表示させることを特徴とする請求項６又は７記載の電子黒板制御装置。
【発明の詳細な説明】
【０００１】
【発明の属する技術分野】
本発明は、コンピュータネットワークを用いた分散型のコミュニケーションシステムに利用される電子黒板装置及び電子黒板制御装置に関する。
【０００２】
【従来の技術】
近年、黒板やホワイトボードに代わり、電子黒板装置が会議、プレゼンテーション、教育などの場で使われるようになってきている。これは、例えば、図７に示すような外観のもので、表示部７１の前面にタッチパネル面を配置した入力部７２を設け、手書きもしくはタッチペンなどで書き込んだ文字や絵等のビジュアルデータをコンピュータ７３上に取り込んで、表示部７１に表示するような装置である。このような電子黒板装置においては、予め用意されたテキスト情報もしくは画像情報と入力された手書きの情報とを合成して表示できるようになっているので、会議を効率的に進めることができるとともに、電子的な議事録を作成することが可能となっている。
【０００３】
そしてこのような電子黒板装置にさらに通信機能を組み込み、遠隔地間を通信回線で接続することにより、電子会議システムとして利用することも可能となっている。
【０００４】
尚、この出願に関連する先行技術文献情報としては、次のものがある。
【０００５】
【特許文献１】
特開２０００−４３４８４公報
【０００６】
【発明が解決しようとする課題】
しかしながら、上記のような遠隔地間の電子会議システムを利用して電子会議を行う場合には、会議に参加する利用者全員が同じ情報を共有しながら会議を進めていくことになるため、特定の利用者間だけで特定の情報を共有することはできないという課題がある。例えば、具体的には、ある建設工事に関する案件について施工管理会社、資材供給会社、建設現場の３者が上記電子黒板装置を用いて電子会議を行うような場合、施工管理会社が資材供給会社にはある指示を出したいが、その施工管理会社が電子黒板に書き込んだ指示情報を建設現場には見られたくないという場合があったとしても、上記のような電子会議システムにおいては、その指示情報は建設現場にも伝達されてしまうということになる。
【０００７】
本発明は、上記の課題を解決するためになされたものであり、コンピュータネットワークを介して接続されたコミュニケーションシステムにおいて、利用者のセキュリティ権限を確保しながらコミュニケーションを円滑かつ効率的に行うことができる電子黒板装置及び電子黒板制御装置を提供することを目的とする。
【０００８】
【課題を解決するための手段】
上記目的を達成するため、請求項１記載の本発明は、コンテンツ情報を表示する表示装置と、前記表示装置に表示させる入力情報を受け付ける入力装置と、前記入力情報の前記表示装置への表示制御を行う電子黒板制御装置と、を有する電子黒板装置をコンピュータネットワークを介して複数接続することにより、前記入力情報を相互に通信可能とするコミュニケーションシステムにおける前記電子黒板装置であって、前記電子黒板制御装置は、前記コミュニケーションシステムに共通に用いられる前記コンテンツ情報を記憶している共通情報記憶手段と、複数の前記電子黒板装置それぞれに関して、情報表示の可否レベルを示すセキュリティレベル情報を、前記電子黒板装置を一意に定める識別情報と関連付けて記憶しているセキュリティレベル情報記憶手段と、自己及び他の前記入力装置からの前記入力情報を前記識別情報と対応付けて受け付ける情報受信手段と、前記共通に用いられる前記コンテンツ情報を前記表示手段に表示させるとともに、前記情報受信手段で受け付けた前記識別情報に関連付いている前記セキュリティレベル情報と自己の前記セキュリティレベル情報との比較に基づいて、前記入力情報の前記表示手段への表示制御を行う表示制御手段と、を有することを要旨とする。
【０００９】
ここで、コンテンツとは、電子化された素材をいい、映像、画像、音声、文字、数値情報などの属性及びその媒体を問わず、デジタル化された情報に係わるコンテンツすべてをいう。
【００１０】
請求項２記載の本発明は、請求項１記載の発明において、前記情報受信手段は、前記入力情報を複数の前記電子黒板装置ごとにそれぞれ異なるレイヤー情報として記憶し、前記表示制御手段は、前記レイヤー情報及び前記共通に用いられる前記コンテンツ情報を重ね合わせて前記表示手段に表示させることを要旨とする。
【００１１】
請求項３記載の本発明は、請求項１又は２記載の発明において、前記表示制御手段は、自己の前記電子黒板装置に関する前記セキュリティレベル情報のレベルが他の前記電子黒板装置に関する前記セキュリティレベル情報のレベルと同等もしくは高い場合には、前記入力情報を表示させることを要旨とする。
【００１２】
請求項４記載の本発明は、請求項１乃至３記載のいずれか１項に記載の発明において、前記入力装置は、前記表示装置の前面にタッチパネル面を配置したタッチパネル入力手段を有することを要旨とする。
【００１３】
請求項５記載の本発明は、請求項４記載の発明において、前記タッチパネル入力手段は、自己の前記電子黒板装置と無線により通信可能であり、前記レイヤー及び表示色を選択可能な電子ペンの接触により入力情報を受け付けることを要旨とする。
【００１４】
請求項６記載の本発明は、コンテンツ情報を表示する表示装置と、前記表示装置に表示させる入力情報を受け付ける入力装置と、前記入力情報の前記表示装置への表示制御を行う電子黒板制御装置と、を有する電子黒板装置をコンピュータネットワークを介して複数接続することにより、前記入力情報を相互に通信可能とするコミュニケーションシステムにおける前記電子黒板制御装置であって、前記コミュニケーションシステムに共通に用いられる前記コンテンツ情報を記憶している共通情報記憶手段と、複数の前記電子黒板装置それぞれに関して、情報表示の可否レベルを示すセキュリティレベル情報を、前記電子黒板装置を一意に定める識別情報と関連付けて記憶しているセキュリティレベル情報記憶手段と、自己及び他の前記入力装置からの前記入力情報を前記識別情報と対応付けて受け付ける情報受信手段と、前記共通に用いられる前記コンテンツ情報を前記表示手段に表示させるとともに、前記情報受信手段で受け付けた前記識別情報に関連付いている前記セキュリティレベル情報と自己の前記セキュリティレベル情報との比較に基づいて、前記入力情報の前記表示手段への表示制御を行う表示制御手段と、を有することを要旨とする。
【００１５】
請求項７記載の本発明は、請求項６記載の発明において、前記情報受信手段は、前記入力情報を複数の前記電子黒板装置ごとにそれぞれ異なるレイヤー情報として記憶し、前記表示制御手段は、前記レイヤー情報及び前記共通の前記コンテンツ情報を重ね合わせて前記表示手段に表示させることを要旨とする。
【００１６】
請求項８記載の本発明は、請求項６又は７記載の発明において、前記表示制御手段は、自己の前記電子黒板装置に関する前記セキュリティレベル情報のレベルが他の前記電子黒板装置に関する前記セキュリティレベル情報のレベルと同等もしくは高い場合には、前記入力情報を表示させることを要旨とする。
【００１７】
【発明の実施の形態】
以下、本発明の実施の形態を図面を用いて説明する。
【００１８】
本発明の実施の形態に係る電子黒板装置１を説明する前に、図２を用いて、電子黒板装置１を用いた電子会議システム１００の概念を説明する。尚、図２は、電子黒板に映し出される画像イメージを説明する図であり、画面ｄｉｓ０は討議ベース画面、画面ｄｉｓ１は建設現場ｐ４の画面、画面ｄｉｓ２は資材供給会社ｐ３の画面、画面ｄｉｓ３は設計会社ｐ２の画面、画面ｄｉｓ４は施工管理会社ｐ１の画面である。
【００１９】
例えば、ある建設工事に関する案件について施工管理会社ｐ１、設計会社ｐ２、資材供給会社ｐ３、建設現場ｐ４の４者がそれぞれ電子黒板装置１を用いて電子会議を行う場合を考える。ここで、予め設定された各社のセキュリティクラスは、施工管理会社ｐ１がＤクラス、設計会社ｐ２がＣクラス、資材供給会社ｐ３がＢクラス、建設現場ｐ４がＡクラスとなっており、セキュリティの程度はＡ＜Ｂ＜Ｃ＜Ｄの順に高くなっていて、高いセキュリティクラスは同等もしくは低いセキュリティクラスの情報を参照することができるようになっていると仮定する。図２によれば、会議のベースとなる討議ベース資料ｏｂ０は４者に映し出されているが、その他の４者が書き込む情報は上記セキュリティクラスに従って表示制御されている。例えば、セキュリティクラスＢである資材供給会社ｐ３が書いたコメントｏｂ２は、施工管理会社ｐ１及び設計会社ｐ２の画面上には映し出されるが、建設現場ｐ４の画面には映し出されない。同様にして、セキュリティクラスがＣである設計会社ｐ２は、資材業者ｐ３及び建設現場ｐ４の書き込むコメントｏｂ１及びｏｂ２は見ることができるが、施工管理会社ｐ１の書いたコメントｏｂ４を見ることはできない。このように、本実施の形態に係る電子会議システム１００は、電子会議に参加する利用者のセキュリティ権限に応じてやりとりする情報を表示制御することができるコンピュータシステムとなっている。
【００２０】
次に、本発明の実施の形態に係る電子黒板装置１について説明する。
【００２１】
図１は、本発明の実施の形態に係る電子黒板装置１の構成及び電子会議システム１００の構成を説明する図である。電子会議システム１００は、複数の電子黒板装置１とコンピュータネットワーク２とから構成されており、これにより、複数の電子黒板装置１が相互に通信可能となり、電子黒板装置１を用いた電子会議が可能となっている。
【００２２】
電子黒板装置１は、電子黒板制御装置３と、タッチパネル付き表示装置４と、電子ペン５とを備えており、電子ペン５による入力情報及び他の電子黒板装置１から受け取る情報を電子黒板制御装置３がタッチパネル付き表示装置４へ表示制御するもので、利用者権限に応じたセキュリティが確保される黒板装置である。
【００２３】
タッチパネル付き表示装置４は、表示部４１（図示せず）の前面にタッチパネル機能を有する入力部４２（図示せず）を設けており、該入力部４２は、電子ペン５によって書き込まれた情報を電子黒板制御装置３に送信するようになっている。また、電子黒板制御装置３から送信される情報を表示部４１に表示するようになっている。
【００２４】
電子ペン５は、タッチパネル付表示装置４に対して入力情報を書き込むツールであり、これにより電子黒板装置１は自己の書き込んだ情報の入力が可能となっている。また、電子ペン３は、無線通信機能を備えているため、電子黒板制御装置３と通信可能となっており、これにより、電子ペン５は、自己のペン属性情報ｄ１（電子ペンＩＤ、バッファ選択番号、表示色などに関する情報）を送信するようになっている。尚、このペン属性情報ｄ１は予め初期設定されているが、自ら変更して使用することも可能となっている。ここで、電子黒板装置１において使用される電子ペン５は１つであっても、複数であってもよく、複数の場合においては、電子ペン５に設定されたペン属性情報ｄ１のバッファ選択ＮＯ、表示色などを重複しないように設定して使用すればよい。これにより、複数の利用者が混同することなく同一の電子黒板装置１に書き込むことが可能となる。
【００２５】
電子黒板制御装置３は、電子ペン認識部３１、セキュリティ・レベルメイン管理処理部３２、タッチパネル入力部３３、データ制御部３４、ディスプレー・バッファ群３５、ディスプレー・バッファ選択制御部３６、ネットワーク制御部３７及び会議情報記憶部３８を備えている。
【００２６】
電子ペン認識部３１は、現在使用されている電子ペン５を電子ペン５からの無線通信により認識するもので、電子ペンＩＤ、バッファ選択番号、表示色などの電子ペン属性情報ｄ１を受信して、セキュリティ・レベルメイン管理処理部３２に転送するようになっている。
【００２７】
タッチパネル入力部３３は、電子ペン５により書き込まれた画像情報ｄ２をタッチパネル付表示装置４の入力部４２を介して受信、蓄積し、該画像情報ｄ２をデータ制御部３４に転送するものである。
【００２８】
ネットワーク制御部３７は、コンピュータネットワーク２を介して他の電子黒板装置１から送信された情報ｄ３（他の電子黒板装置１のＩＤ、セキュリティレベル、バッファＮＯなどの属性情報ｄ３１及び他の電子黒板装置３に書き込まれた画像情報ｄ３２）を受信し、属性情報ｄ３１はセキュリティ・レベルメイン管理処理部３２に転送し、画像情報ｄ３２はデータ制御部３４に転送するものである。また、電子ペン５により書き込まれた画像情報ｄ２をデータ制御部３４を介して受け取り、コンピュータネットワーク２を介して他の電子黒板装置１に送信するものである。
【００２９】
セキュリティ・レベルメイン管理処理部３２は、電子黒板制御装置３の中枢となる部分であり、自己及び他の電子黒板装置１のセキュリティ情報を管理、処理するようになっている。ここで、セキュリティ・レベルメイン管理処理部３２は、図３に示すような、自己及び他の電子黒板装置１に関するセキュリティ情報ｄ１０を記憶しているセキュリティテーブルｄｂ０を備えており、電子ペン認識部３１及びネットワーク制御部３７から受け取った電子ペン属性情報ｄ１及び属性情報ｄ３１に変更があった場合には、セキュリティテーブルｄｂ０を更新するようになっている。
【００３０】
そして、セキュリティテーブルｄｂ０に記憶されたセキュリティ情報ｄ１０に基づいて、自他のセキュリティレベルの比較を行い、自己の電子黒板装置１のセキュリティレベルが他の電子黒板装置１のセキュリティレベルより高いか同等である場合には、他の電子黒板装置１から送信された画像情報ｄ３２を閲覧可能とするもので、その場合には、他の電子黒板装置１に相当するバッファ番号をディスプレー・バッファ選択制御部３６に送信するようになっている。
【００３１】
会議情報記憶部３８は、電子会議で用いられる資料など、電子会議システム１００において、会議のベースとなる情報を記憶している記憶域であり、利用者からの指示により選択された会議情報ｄ５がデータ制御部３４に転送されるようになっている。尚、会議情報記憶部３８に記憶される情報としては、映像、画像、音声、文字、数値情報などの属性及びその媒体を問わず、デジタル化された情報にすべてが含まれる。
【００３２】
データ制御部３４は、タッチパネル入力部３３及びネットワーク制御部３７から転送された画像情報ｄ２及びｄ３２を、セキュリティ・レベルメイン管理処理部３２に記憶されたバッファ番号に従って、それぞれのディスプレー・バッファ３５１、…、３５４に転送するものである。また、会議情報記憶部３８に記憶された会議情報ｄ５を、ディスプレー・バッファ３５０に転送するものである（ディスプレー・バッファ３５０は討議ベース用バッファとなっている）。
【００３３】
ディスプレー・バッファ群３５は、複数のディスプレー・バッファ３５０、３５１、…、３５４を備えており、データ制御部３４から転送された、自己の電子黒板装置１に書き込まれた画像情報ｄ２、他の電子黒板装置１に書き込まれた画像情報ｄ３２及び会議情報ｄ５をそれぞれのディスプレー・バッファ３５０、３５１…に記憶するものである。尚、本実施の形態においては、ディスプレー・バッファを５つのレイヤーとして説明するが、６つ以上であってもよいのはもちろんであり、ディスプレー・バッファ（利用者）の数に制限はない。
【００３４】
ディスプレー・バッファ選択制御部３６は、セキュリティ・レベルメイン管理処理部３２から受け取った、閲覧可能となっているバッファ番号及びバッファ番号０を基に、該バッファ番号の画像情報ｄ２，ｄ３２，ｄ５のレイヤーを合成して（重ね合わせて）、合成した画像情報ｄ６をタッチパネル付表示装置４に表示させるものである。
【００３５】
次に、本発明の実施の形態に係る電子黒板装置１の動作を図４乃至６を用いて説明する。尚、図４は、電子黒板装置１立ち上げ時の電子黒板制御装置３の動作を説明するシーケンス図であり、図５は、電子ペン５により情報入力をした場合の電子黒板制御装置３の動作を説明するシーケンス図であり、図６は、他の電子黒板装置１から入力情報を受信した場合の電子黒板制御装置３の動作を説明するシーケンス図である。
【００３６】
（１）  電子黒板装置１立ち上げ時
まず、電子黒板装置１を立ち上げると、電子黒板制御装置３の電子ペン認識部３１が、電子ペン５から電子ペン属性情報ｄ１を受信し、該情報ｄ１をセキュリティ・レベルメイン管理処理部３２に転送する（ステップＳ１〜Ｓ３）。セキュリティ・レベルメイン管理処理部３２では、電子ペン属性情報ｄ１を受信すると、セキュリティテーブルｄｂ０の同一電子ペンＩＤのバッファ情報ｄ１１３ａ、ｄ１１３ｂ、…を参照して、送信された情報ｄ１が記憶されているバッファ情報ｄ１１３ａ、ｄ１１３ｂ、…と異なる場合には、セキュリティテーブルｄｂ０を更新する（ステップＳ４、Ｓ５）。これは、通常、電子ペン５に記憶されているバッファ番号は１（デフォルト値）となっているが、変更される場合があり、また、複数の電子ペン５を用いる場合を想定したものである。
【００３７】
これにより、電子黒板制御装置３は、現在使用されている電子ペン５を認識することができるので、自己の書き込んだ画像情報ｄ２を表示制御することが可能となる。
【００３８】
尚、このような電子ペン５の認識は、立ち上げ時だけでなく、定期的な無線通信により、認識するようにしてもよい。
【００３９】
（２）  電子ペン５により情報入力した場合
まず、電子ペン５により入力された画像情報ｄ２がタッチパネル付き表示装置４から電子黒板制御装置３のタッチパネル入力部３３に送信されるので、タッチパネル入力部３３は、該画像情報ｄ２を蓄積し、データ制御部３４に転送する（ステップＳ１１〜Ｓ１３）。
【００４０】
次に、データ制御部３４は、画像情報ｄ２を受け付けるとともに、セキュリティ・レベルメイン管理処理部３２のセキュリティテーブルｄｂ０から自己の電子黒板装置１に関するバッファ番号を取得して、該バッファ番号に従って該当のディスプレー・バッファ３５１、…、３５４に画像情報ｄ２を書き込むとともに、ネットワーク制御部３４に画像情報ｄ２を転送する（ステップＳ１４〜Ｓ１８、Ｓ２０）。
【００４１】
これにより、ネットワーク制御部３４は、受け取った画像データｄ２をコンピュータネットワーク２を介して他の電子黒板装置１に送信する（ステップＳ１９）。
【００４２】
一方、ディスプレー・バッファ選択制御部３６は、セキュリティ・レベルメイン管理処理部３２から転送されたバッファ番号を基に、該当のディスプレー・バッファ３５０、…、３５４に書き込まれた画像情報ｄ２、ｄ３２及び会議情報ｄ５を取り込んで、画像合成し、合成された画像情報ｄ６をタッチパネル付き表示装置４に送信する（ステップＳ２１〜Ｓ２５）。
【００４３】
最後に、タッチパネル付き表示装置４は、送信された画像情報ｄ６を表示部４１に表示する（ステップＳ２６）。
【００４４】
これにより、自己の電子ペン５が書き込んだ画像情報ｄ２は、自己の電子黒板装置１に表示されるとともに、他の電子黒板装置１にも送信される。
【００４５】
（３）他の電子黒板装置１から情報を受信した場合
まず、電子黒板制御装置３のネットワーク制御部３７が、他の電子黒板装置１から送信された情報ｄ３を受信し、該情報ｄ３の属性情報ｄ３１をセキュリティ・レベルメイン管理部３２に、画像情報ｄ３２をデータ制御部３４に転送する（ステップＳ３１〜Ｓ３４）。
【００４６】
セキュリティ・レベルメイン管理処理部３２は、セキュリティテーブルｄｂ０の他の電子黒板装置１に関するセキュリティ情報ｄ１２を参照して、転送された属性情報ｄ３２が記憶されているｄ１２１ａ，ｄ１２１ｂ，…と異なる場合には、セキュリティテーブルｄｂ０を更新する（ステップＳ３５）。尚、バッファ番号に関しては、自他の電子黒板装置１のバッファ番号が同一とならないように、優先度を持った一定の規則に従って、調整して更新するようになっている。
【００４７】
次に、データ制御部３４は、セキュリティ・レベルメイン管理部３２のセキュリティテーブルｄｂ０の情報ｄ１２１ａ、ｄ１２１ｂ、…から該当ＩＤのバッファ番号を取得して、該バッファ番号のディスプレー・バッファ３５１、…３５４に画像情報ｄ３２を書き込む（ステップＳ３６〜Ｓ３９）。
【００４８】
そして、ディスプレー・バッファ選択制御部３６は、セキュリティ・レベルメイン管理処理部３２から転送されたバッファ番号を基に、該当のディスプレー・バッファ３５０、…、３５４に書き込まれた画像情報ｄ２、ｄ３２及び会議情報ｄ５を取り込んで、画像合成し、合成された画像情報ｄ６をタッチパネル付き表示装置４に送信する（ステップＳ４０〜Ｓ４４）。
【００４９】
最後に、タッチパネル付き表示装置４は、送信された画像情報ｄ６を表示部４１に表示する（ステップＳ４５）。
【００５０】
これにより、他の電子黒板装置１に書き込まれた画像情報ｄ３２も自己の電子黒板装置１のセキュリティレベルに応じて、自己の電子黒板装置１に表示させることができる。
【００５１】
従って、本実施の形態の電子黒板装置１によれば、利用者ごとに設定されたセキュリティレベルに応じて情報のやりとりをしつつ電子会議を行うことができるので、特定の利用者間においても特定の情報を共有させることが可能となり、参加者全員の意思疎通が図れるだけではなく、特定利用者間における意思疎通も図ることができ、以て、円滑かつ効率的に会議を進行させることができる。
【００５２】
以上、本発明の実施の形態について説明してきたが、本発明の要旨を逸脱しない範囲において、本発明の実施の形態に対して種々の変形や変更を施すことができる。例えば、上記実施の形態の電子黒板装置１においては、電子会議システム１００に用いられる場合について説明したが、本発明は電子会議システム１００に利用される場合に限定されるものではなく、例えば、遠隔地間における学習システム、その他のコンピュータネットワークを介したコミュニケーションシステムにも適用できる。
【００５３】
ここで、学習システムに適用される場合においては、教師及び生徒にそれぞれ電子黒板装置が用意されており、教師が生徒全員に対して出題した問題（共通ベース画面）に対して、生徒が解答を書き込み、これに対して教師が添削をするものである。尚、この学習システムにおいては、教師側のセキュリティレベルが生徒側のセキュリティレベルより高く設定されており、セキュリティレベルが高い者が低い者の情報を見ることができるとともに、低いセキュリティレベルのディスプレー・バッファに情報を書き込むことも可能となっているので、教師が生徒各々のディスプレー・バッファに添削することができ、各生徒は自分が書いた解答に対する添削を確認することができる。このため、本学習システムの教師側の電子黒板装置は、複数のディスプレー・バッファを重ね合わせるのではなく、画面分割して同時に複数のディスプレー・バッファを表示するようになっており、これにより、教師は複数の生徒の解答を同時に見ること及び添削することが可能となる。従って、本学習システムによれば、教師及び生徒が同一の場所にいなくても、個別指導に近い教育指導を行うことができる。
【００５４】
尚、上記実施の形態においては、電子ペン５及びタッチパネル付表示装置４を用い情報入力を行ったが、入力方法はこれに限定されるわけではなく、キーボードによる入力などその他の入力方法でもよいのはもちろんである。
【００５５】
【発明の効果】
以上説明したように、本発明によれば、コンピュータネットワークを介して接続されたコミュニケーションシステムにおいて、利用者のセキュリティ権限を確保しながらコミュニケーションを円滑かつ効率的に行うことができる。
【図面の簡単な説明】
【図１】本発明の実施の形態に係る電子黒板装置の概略構成図である。
【図２】本発明の実施の形態に係る電子黒板装置を用いた電子会議システムの概念を説明する図である。
【図３】本発明の実施の形態に係る電子黒板制御装置に記憶されるセキュリティに関する情報を説明する図である。
【図４】本発明の実施の形態に係る電子黒板装置の装置立ち上げ時の電子黒板制御装置の動作を説明するシーケンス図である。
【図５】本発明の実施の形態に係る電子黒板装置の電子ペンにより入力処理を行った時の電子黒板制御装置の動作を説明するシーケンス図である。
【図６】本発明の実施の形態に係る電子黒板。
【図７】従来の電子黒板装置の外観図である。
【符号の説明】
１  電子会議システム
２  コンピュータネットワーク
３  電子黒板制御装置
４  タッチパネル付表示装置
５  電子ペン
３１  電子ペン認識部
３２  セキュリティ・レベルメイン管理処理部
３３  タッチパネル入力部
３４  データ制御部
３５  ディスプレー・バッファ群
３６  ディスプレー・バッファ選択制御部
３７  ネットワーク制御部
３８  会議情報記憶部
１００  電子会議システム
３５０，３５１，３５２，３５３，３５４  ディスプレー・バッファ
【図１】
2004188736.tif 000003
【図２】
2004188736.tif 000004
【図３】
2004188736.tif 000005
【図４】
2004188736.tif 000006
【図５】
2004188736.tif 000007
【図６】
2004188736.tif 000008
【図７】
2004188736.tif 000009